(57)【特許請求の範囲】
【請求項１】
操作スイッチの操作により正しい暗証信号が入力することにより施錠モードから解錠モードに切換わり、さらに前記暗証信号から続いて操作される制御信号の入力に基づいて制御指令を出力する錠制御部が備えられたものにおいて、前記錠制御部には、選択出力制御モードと同時出力制御モードとに切換えるためのモード切換え手段が設けられ、選択出力制御モードでは、操作スイッチから同時に複数の制御信号が入力した場合に、該複数の制御信号のうちの対応する一つに制御指令を選択して出力するように設定され、同時出力制御モードでは、操作スイッチから同時に複数の制御指令が入力した場合、該複数の制御指令を同時的に出力するように設定されている暗証入力式錠装置。
【発明の詳細な説明】
【０００１】
【発明の属する技術分野】
本発明は、建造物の出入口に建付けられるシャッター装置等の開閉機を開閉作動させるための暗証入力式錠装置の技術分野に属するものである。
【０００２】
【従来の技術】
一般に、この種建築用開閉戸の開閉機において、開閉機の駆動制御を開閉用操作スイッチの操作により行うようにしたものがある。そして、このものにおいて、安全性や防犯性を確保するため関係者以外の第三者がスイッチ操作できないようにすることが要求され、その場合、開閉用操作スイッチを施錠式のボックスに収納することが提唱されるが、このような施錠式にすると鍵を忘れたときに開閉操作ができなくなってしまい鍵の管理についての問題が残る。そこで、特公平４−３７９０７号公報や特公平４−４３１４６号公報に示されるように、予め登録された登録番号と同じ番号（正しい暗証信号）を操作スイッチのキースイッチから入力することによって、操作スイッチからの開閉制御信号に基づく開閉機の駆動制御が行えるよう解錠する暗証入力式の錠装置を採用することが提唱されている。
そしてこの場合、錠装置には錠制御部が設けられ、該錠制御部は、入力された暗証信号が予め登録された登録信号と一致するか否かを判断し、一致すると判断した場合に施錠モードから解錠モードとなり、この状態で前記開閉用の制御信号があった場合に、対応する制御指令を開閉機に対して出力するように設定されている。
【０００３】
一方、開閉機に駆動制御部を備えたものがあり、この場合、駆動制御部は、開閉用操作スイッチからの開閉制御指令が入力したことに基づいて開閉機に対して駆動指令を出力し、全開または全閉位置検知センサからの検知信号の入力、または停止用操作スイッチからの信号の入力に伴い駆動指令の出力を停止する制御が行われるように設定されたものがある。そしてこのものにおいて、開閉戸の設置時やメンテナンス時に、開閉戸の全開、全閉位置検知センサを調整をするような場合、特公平６−３１５０１号公報に示すように、開閉用操作スイッチの特別なスイッチ操作、つまり、閉鎖用スイッチと停止用スイッチとを同時に操作、開放用スイッチと停止用スイッチとを同時に操作する等の通常では行われないスイッチ操作を利用して特別な信号を駆動制御部に出力し、駆動制御部を通常の操作モードから設定モード（メンテナンスモード）に切換え、全開、全閉位置を調整できるようにしたものが提唱されており、これによって、いちいち上、下限位置検知センサを直接操作することなく調整することができ、操作性の優れたものにできた。
【０００４】
【発明が解決しようとする課題】
ところで、従来、錠装置の錠制御部から出力される制御指令は、予め設定された優先順位のものや最も早く操作されたものだけを一つ出力するように設定されていて、仮令開閉用の操作スイッチを同時的に複数のものを操作しても、複数の制御信号のうちの対応する一つの制御指令を選択して出力するように設定されている。このため、このような駆動制御部を備えた開閉機付きの開閉戸に暗証式の錠装置を接続した場合、開閉用操作スイッチにより前記特別なスイッチ操作をしたとしても、モード切換え用の特別な信号を駆動制御部に出力することができず、前記駆動制御部のモードを切換えることができない。そこで、従来、前記駆動制御部付きの開閉戸に暗証入力式錠装置を接続したものを建付ける場合、一旦暗証入力式錠装置を取外して前記開閉用操作スイッチに付け換え、全開、全閉位置検知センサの調整を行った後暗証入力式錠装置を再び取り付けるようにしており、いちいち付け換えるのが面倒で作業性が悪いという問題があり、ここに本発明が解決しようとする課題があった。
【０００５】
【課題を解決するための手段】
本発明は、上記の如き実情に鑑み、これらの課題を解決することを目的として創作されたものであって、操作スイッチの操作により正しい暗証信号が入力することにより施錠モードから解錠モードに切換わり、さらに前記暗証信号から続いて操作される制御信号の入力に基づいて制御指令を出力する錠制御部が備えられたものにおいて、前記錠制御部には、選択出力制御モードと同時出力制御モードとに切換えるためのモード切換え手段が設けられ、選択出力制御モードでは、操作スイッチから同時に複数の制御信号が入力した場合に、該複数の制御信号のうちの対応する一つに制御指令を選択して出力するように設定され、同時出力制御モードでは、操作スイッチから同時に複数の制御指令が入力した場合、該複数の制御指令を同時的に出力するように設定されている暗証入力式錠装置である。
そして、このようにすることにより、駆動制御部を備えた開閉機付きの開閉装置に暗証入力式錠装置を接続したものでありながら、錠装置側から駆動制御部のモード変更ができる。
【０００６】
【発明の実施の形態】
次に、本発明の実施の形態を図１〜図８の図面に基づいて説明する。
図面において、１は建築用電動シャッターのシャッターカーテンであって、該シャッターカーテン１は、後述する開放、閉鎖、停止用キースイッチＫＳＵ、ＫＳＤ、ＫＳＳの操作に伴う開閉機（電動モータＭとブレーキ装置Ｂとで構成されている）２の駆動で、シャッターケース３内に収納されて開口部の開放をする開放姿勢と、開口部左右両側に立設されるガイドレール４に案内されて垂下して開口部の閉鎖をする閉鎖姿勢とに姿勢変姿するべく上下昇降動するのもであるが、これらの基本構成については従来通りになっている。
【０００７】
５は開口部側部の屋外側壁面に取り付けられる操作ボックスであって、本発明が実施された暗証入力式錠装置が内装されるものであるが、該操作ボックス５は蓋５ａ付きに構成されており、該蓋５ａを開放すると操作パネル５ｂが露出するように設定されている。この操作パネル５ｂには、暗証番号を入力するための０〜９までのテンキースイッチ６、および後述するアスタリスクキースイッチ（＊）７とクリアキースイッチ（Ｃ）８のキースイッチ類、そして前記開放、閉鎖、停止用キースイッチＫＳＵ、ＫＳＤ、ＫＳＳ、表示灯Ｌ等が配されている。そして、後述するように、登録されている暗証番号（暗証信号）をテンキースイッチ６により入力した後、開放用または閉鎖用キースイッチＫＳＵ、ＫＳＤを押し操作することによって開閉機２の駆動制御が行われるようになっており、該開閉機２の駆動に基づいてシャッターカーテン１の開閉作動が行われる設定となっている。
【０００８】
さて、９は躯体上部に設けられる錠装置制御盤であって、該錠装置制御盤９には、端子Ｇ、Ｖ、Ｓ、Ｒを介して前記操作ボックス５内の各スイッチ類６、７、８、ＫＳＵ、ＫＳＤ、ＫＳＳが後述する副制御部５ｃを介して接続され、これら各スイッチ類６、７、８、ＫＳＵ、ＫＳＤ、ＫＳＳからの信号が錠装置制御盤９に設けられた錠制御部１０に入力されるように設定されている。
ここで、本実施の形態において、各スイッチ６、７、８、ＫＳＵ、ＫＳＤ、ＫＳＳからの信号は副制御部５ｃにおいてシリアルデータに変換され、該変換されたシリアルデータ信号が錠制御部１０に入力されるように設定されており、これによって、操作ボックス５と錠装置制御盤９とのあいだの配線を汎用の四芯ケーブルを用いることができるようになっている。
【０００９】
一方、錠装置制御盤９の端子ｂ１、ｂ２、ｂ３、ｂ４は、後述する駆動制御部１１に接続されるが、端子ｂ１と端子ｂ３とのあいだには、常時閉成するｂ接点で構成される第一リレーＲＹ１のリレー接点ＲＹ１が接続されている。また、端子ｂ１と端子ｂ２とのあいだには、第二リレーＲＹ２のスイッチ接点ＲＹ２（ａ接点）が第一リレーのスイッチ接点ＲＹ１とは直列接続する状態で接続されている。さらに、端子ｂ１と端子ｂ４とのあいだには、第三リレーＲＹ３のスイッチ接点ＲＹ３（ａ接点）が第一リレーのリレー接点ＲＹ１とは直列し、第二リレーのリレー接点ＲＹ２とは並列接続する状態で接続されている。
そして、錠制御部１０に、テンキースイッチ６の操作により予め設定される登録暗証番号（暗証信号）と一致する正しい暗証番号が入力された場合、錠制御部１０は開閉用キースイッチＫＳＵ、ＫＳＤ、ＫＳＳからの制御信号を受け付け、停止用キースイッチＫＳＳが入力された場合では第一リレーＲＹ１を励磁し、開放用キースイッチＫＳＵが入力された場合では第二リレーＲＹ２を励磁し、閉鎖用キースイッチＫＳＤが入力された場合では第三リレーＲＹ３を励磁するように設定されており、これに伴い各端子ｂ１、ｂ２、ｂ３、ｂ４間のスイッチ接点ＲＹ１、ＲＹ２、ＲＹ３が切換り、これによって各開閉用キースイッチＫＳＵ、ＫＳＤ、ＫＳＳに対応する制御指令が駆動制御部１１に出力されるように設定されている。
尚、停止用キースイッチＫＳＳの入力は、暗証番号の入力の有無を問わず受け付けられて第一リレーＲＹ１を励磁するように設定されている。
また、錠装置制御盤９の端子ＡＬｃとＡＬａとのあいだには警報出力用のリレー１２のスイッチ接点１２ａが接続されており、錠制御部１０部が異常と判断した場合に警報出力用リレー１２を励磁するとし端子ＡＬｃ、ＡＬａ間が閉成され、警報の出力ができるように設定されている。
【００１０】
さらに、錠装置制御盤９には第一、第二フリー端子Ｆ１、Ｆ２が設けられており、これら端子Ｆ１、Ｆ２間をジャンパー線ＪＷにより短絡することによって、錠制御部１０にフリー信号が入力するように設定されている。そして、錠制御部１０は、フリー信号を入力している場合では、制御指令の出力状態を変えるように設定されている。
まず、錠制御部１０にフリー信号が入力されていない場合について説明するが、この状態は通常のシャッターカーテン１の開閉作動をさせる場合であって、本発明の選択出力制御モードに相当する。そしてこの選択出力制御モードにおいて、錠制御部１０は、前述したように、入力された暗証信号が登録暗証信号と一致すると判断した場合に、開閉用キースイッチＫＳＵ、ＫＳＤ、ＫＳＳからの制御信号を受け付け、これら制御信号の入力があった場合に、入力順位の早いものを受け付けて対応する制御指令を出力するように設定されている。また、同時に複数の入力があった場合では停止用キースイッチＫＳＳを優先し、対応する制御指令、つまり第一リレーＲＹ１を励磁させるように設定されている。そしてこの選択出力制御モードでは、錠制御部１０は、各リレーＲＹ１、ＲＹ２、ＲＹ３を所定時間のあいだ（本実施の形態では１秒間に設定されている）だけ励磁するように設定されており、これによって駆動制御部１１には前記所定時間の長さの制御指令が入力されるようになっている。
【００１１】
これに対し、前記第一、第二端子Ｆ１、Ｆ２間を短絡し、フリー信号が錠制御部１０に入力された場合、錠制御部１０は前記選択出力制御モードから同時出力制御モードに切換わる。そして該同時出力制御モードになると、錠制御部１０は、暗証番号の入力がなくても開閉用キースイッチＫＳＵ、ＫＳＤ、ＫＳＳからの制御信号を受け付け、制御信号が入力されているあいだだけ、駆動制御部１１に対して制御指令を出力する（所謂押切り操作に相当する）設定に切換わる。さらに、この同時出力制御モードでは、開閉用キースイッチＫＳＵ、ＫＳＤ、ＫＳＳから同時に複数の制御信号が入力された場合、これに対応して複数の制御指令を出力するように設定されている。
尚、１３はディップスイッチであって、該ディップスイッチ１３を選択的に切換ることで錠制御部１０の制御モードを種々変更することができるように設定されており、これによって、三回連続して誤った暗証信号が入力された場合、所定時間のあいだ全てのスイッチ類からの入力を受け付けないようにする悪戯防止モードや、例えばシャッターカーテン一の開放作動では正しい暗証番号の入力が必要であるが、閉鎖作動では暗証番号の入力無しで実行できるモード等、種々のモードに設定できる。
【００１２】
一方、前記制御指令が入力される駆動制御部１１はシャッター制御盤１４に設けられるが、シャッター制御盤１４には、図６に示すように、開閉機２を正逆駆動せしめるための駆動回路１４ａ、ポテンショメータ１５等が接続されている。また、駆動制御部１１にはブザー１６が設けられ、駆動制御部１１の異常を報知するように設定されている。尚、１７は駆動制御部１１のディップスイッチであって、該ディップスイッチ１７を選択的に切換えることで駆動制御部１１の制御モードを種々のモードに変更できるように設定されている。さらに、１８はリセットボタンであって、駆動制御部１１の制御モード等をリセットすることができるように設定されている。
【００１３】
そして、錠制御部１０の第一、第二端子Ｆ１、Ｆ２がジャンパー線ＪＷにより短絡されておらず、錠制御部１０が選択出力制御モードにある場合に、駆動制御部１１は次のように開閉機２を駆動制御するように設定されている。つまり、全閉状態にあるシャッターカーテン１を開放する場合では、操作ボックス５のテンキースイッチ６を操作して正しい暗証信号を入力する。続いて開放用キースイッチＫＳＵを操作することで、錠制御部１０は第二リレーＲＹ２を１秒間励磁し、これによって開放制御指令を駆動制御部１１に対して出力する。該開放制御指令を入力した駆動制御部１１は、開閉機２に対して開放駆動指令を出力するが、該開放駆動指令は、ポテンショメータメータ１５の数値が予め駆動制御部１１に登録されている上限位置値と一致して上限位置検知がなされたとの信号が入力されるまで出力し続けられ、これによってシャッターカーテン１は全開位置に達するまで開放作動をして全開位置で自動的に停止するように制御されている。一方、全開状態のシャッターカーテン１の閉鎖も前記開放と同様に、暗証信号入力、閉鎖用キースイッチＫＳＤの操作により、駆動制御部１１は、ポテンショメータメータ１５の数値が予め駆動制御部１１に登録されている下限位置値と一致するまで開閉機２に駆動制御指令を出力し、これによってシャッターカーテン１が全閉位置に達して自動停止する設定となっている。
【００１４】
これに対し、錠制御部１０の第一、第二端子Ｆ１、Ｆ２をジャンパー線ＪＷにより短絡し、該錠制御部１０を同時出力制御モードに切換えた場合では、前述したように錠制御部１０は、暗証信号の入力がなくても開閉用キースイッチＫＳＵ、ＫＳＤ、ＫＳＳからの制御信号を受け付け、しかも各制御信号に対して操作しているあいだだけ制御指令を出力するようになっているうえ、複数の同時的な制御信号に対応して複数の制御指令を同時的に出力できる。このため、開閉用キースイッチＫＳＵ、ＫＳＤ、ＫＳＳの操作によって駆動制御部１１を通常の開閉作動制御モードから調整（工事）モードに切換えて、例えばシャッターカーテン１の上、下限位置の調整が行えることになる。この調整方法について、図８のタイミングチャート図に基づいて説明する。
まず、駆動制御部１１に登録されているポテンショメータ１５による上限位置を調整したい場合、停止用キースイッチＫＳＳを押したまま閉鎖用キースイッチＫＳＤを３回押し操作することで、駆動制御部１１を設定モードに切換えられる。続いて、各キースイッチＫＳＵ、ＫＳＤ、ＫＳＳを押切り操作して、シャッターカーテン１を目的の上限位置にセットし、再度停止用スイッチＫＳＳを押したまま開放用キースイッチＫＳＵを３回押すことにより、該上限位置が新たなポテンショメータの上限位置値として駆動制御部１１に書き換えられ、かつ前記開閉作動制御モードに復帰するように設定されている。
また、下限位置を調整する場合では、停止用キースイッチＫＳＳを押したまま閉鎖用キースイッチＫＳＤを３回押し操作して、駆動制御部１１を調整モードに切換える。続いて、各キースイッチＫＳＵ、ＫＳＤ、ＫＳＳを押切り操作して、シャッターカーテン１を目的の下限位置にセットし、再度停止用スイッチＫＳＳを押したまま閉鎖用キースイッチＫＳＤを３回押すことにより、該下限位置が新たなポテンショメータ１５の上限位置値として駆動制御部１２に書き換えられ、かつ前記開閉作動制御モードに復帰するように設定されている。
【００１５】
叙述の如く構成された本発明の実施の形態において、シャッターカーテン１を開閉操作する場合、操作ボックス５の蓋５ａを開放し、登録暗証番号と一致する暗証番号を入力した後、開放用または閉鎖用キースイッチＫＳＵ、ＫＳＤを操作することで、開閉機２の駆動制御がなされることになる。そしてこのものでは、前述したように第一、第二フリー端子Ｆ１、Ｆ２とのあいだをジャンパー線ＪＷで短絡させることで、錠制御部１０が選択出力制御モードから自由出力制御モードに切換り、通常のシャッター制御時に出力される制御指令とは異なる制御指令を出力できることになる。これによって、シャッターカーテン１の建付け時やメンテナンス時に、躯体側部に設けられる錠装置の開閉用キースイッチＫＳＵ、ＫＳＤ、ＫＳＳを操作することで、駆動制御部１１を通常の開閉作動制御モードから調整モードに切換えて上、下限位置を調整したいような場合に、第一、第二フリー端子Ｆ１、Ｆ２とのあいだをジャンパー線ＪＷで短絡して錠制御部１０を自由出力制御モードにし、開閉用キースイッチＫＳＵ、ＫＳＤ、ＫＳＳの特別なスイッチ操作をすれば、駆動制御部１１に特別な信号を入力できて操作モードから設定モードに切換えることができて、暗証入力式の錠装置を備えたものでありながら、駆動制御部１１のモード変更を、躯体側部に設けられる錠装置を用いて行うことができる。この結果、建付け時に暗証入力式錠装置を開閉用操作スイッチ等に付け換えることなく駆動制御部１１のモード変更ができることになって、操作性が向上する。
【００１６】
尚、本発明は、前記実施の形態に限定されるものでは勿論なく、錠制御部を選択出力制御モードから自由出力制御モードに切換えるモード切換え手段としては、暗証入力式の錠装置を用い、該錠装置の特別なスイッチ操作で切り換えるように設定することもでき、このようにした場合では、いちいち躯体上部の錠制御部を操作することなく躯体側部の錠装置を操作するだけで駆動制御部を設定モードに変更でき、この状態で、開閉用キースイッチを操作すれば上下限位置の調整等を行うことができ、さらに作業性が向上する。
【図面の簡単な説明】
【図１】シャッターカーテンの概略正面図である。
【図２】操作ボックスの開放状態を示す正面図である。
【図３】操作ボックスの取付け状態を示す側面断面図である。
【図４】錠装置制御盤の内観図である。
【図５】錠装置制御盤の制御回路図である。
【図６】シャッター制御盤の駆動制御回路図である。
【図７】主制御部における制御状態を示すブロック図である。
【図８】錠制御部に置ける制御状態を示すタイミングチャート図である。
【符号の説明】
１    シャッターカーテン
２    開閉機
５    操作ボックス
５ｃ    副制御部
６    テンキースイッチ
７    アスタリスクキースイッチ
８    クリアキースイッチ
９    錠装置制御盤
１０    錠制御部
１１    駆動制御部
ＲＹ１    第一リレー
ＲＹ２    第二リレー
ＲＹ３    第三リレー
Ｆ１    第一フリー端子
Ｆ２    第二フリー端子
【図１】
0003728714.tif 000002
【図２】
0003728714.tif 000003
【図３】
0003728714.tif 000004
【図４】
0003728714.tif 000005
【図５】
0003728714.tif 000006
【図６】
0003728714.tif 000007
【図７】
0003728714.tif 000008
【図８】
0003728714.tif 000009